(57)【要約】【課題】アンテナ同調回路と、アンテナ同調回路の出力信号を通過させるキャパシタと、キャパシタを通過した信号を増幅する高周波増幅回路とを有する受信装置に関し、簡単な構成で、確実にＲＦ信号の歪を防止し、安定した受信が可能となる受信装置を提供することを目的とする。【解決手段】  本発明は、アンテナ同調回路（１１１）と、アンテナ同調回路（１１１）の出力信号を通過させるキャパシタ（Ｃ0）と、キャパシタ（Ｃ0）を通過した信号を増幅する高周波増幅回路（１１３）とを有する受信装置において、キャパシタ（Ｃ0）と高周波増幅回路（１１３）の入力端との接続点と接地との間に、アンテナ同調回路（１１１）からの信号を所定のレベル範囲を超えたときにときにオンして、信号を所定のレベル範囲内に維持するスイッチング手段（１１２）を接続したことを特徴とする。【選択図】図１
2006279486.tif 000002
【特許請求の範囲】
【請求項１】
アンテナ同調回路と、該アンテナ同調回路の出力信号を通過させるキャパシタと、前記キャパシタを通過した信号を増幅する高周波増幅回路とを有する受信装置において、
前記キャパシタと前記高周波増幅回路の入力端との接続点と接地との間に、前記アンテナ同調回路からの信号を所定のレベル範囲を超えたときにときにオンして、該信号を所定のレベル範囲内に維持するスイッチング手段を接続したことを特徴とする受信装置。
【請求項２】
前記スイッチング手段は、アノードが前記キャパシタと前記高周波増幅回路の入力端との接続点に接続され、カソードが前記接地に接続されたダイオードから構成されたことを特徴とする請求項１記載の受信装置。
【請求項３】
前記ダイオードは、スイッチングダイオードから構成されていることを特徴とする請求項２記載の受信装置。
【発明の詳細な説明】
【技術分野】
【０００１】
本発明は受信装置に係り、特に、アンテナ同調回路と、アンテナ同調回路の出力信号を通過させるキャパシタと、キャパシタを通過した信号を増幅する高周波増幅回路とを有する受信装置に関する。
【背景技術】
【０００２】
ＦＭチューナモジュールには、アンテナとの同調をとるアンテナ同調回路が設けられている。
【０００３】
図４は従来のアンテナ同調回路の一例の回路構成図を示す。
【０００４】
従来のアンテナ同調回路１は、トランス１１、キャパシタＣ1、Ｃ2、可変容量ダイオードＤvc、スイッチングダイオードＤsw0から構成されている。
【０００５】
トランス１１は、１次コイルＬ１及び２次コイルＬ２から構成されている。１次コイルＬ１にはアンテナからＲＦ信号が供給される。２次コイルＬ２は、一端がキャパシタＣ0の一端に接続されており、他端が接地されており、１次コイルＬ１に流れるＲＦ信号に応じた電圧をその両端に発生する。
【０００６】
キャパシタＣ1は、一端がトランス１１の２次コイルＬ２の一端とキャパシタＣ0の一端との接続点に接続され、他端が接地されている。可変容量ダイオードＤvcは、アノードが２次コイルＬ２の一端とキャパシタＣ0の一端との接続点に接続され、カソードはキャパシタＣ2の一端に接続されている。キャパシタＣ2の他端は、接地されている。
【０００７】
可変容量ダイオードＤvcとキャパシタＣ2との接続点には、外部から容量制御電圧Ｖcntが供給されている。可変容量ダイオードＤvcは、外部から供給される容量制御電圧Ｖcntに応じて容量が制御される。可変容量ダイオードＤvcの容量を制御することにより、２次コイルＬ２に並列に挿入される容量成分が制御される。これによって、同調周波数を調整される。
【０００８】
スイッチングダイオードＤsw0は、キャパシタＣ1に並列に接続されており、２次コイルＬ２の一端の電位が所定の電位になると、オンする。スイッチングダイオードＤsw0によりＲＦ信号が歪むことを防止している。
【発明の開示】
【発明が解決しようとする課題】
【０００９】
しかるに、従来のアンテナ同調回路１では、キャパシタＣ1に並列にスイッチングダイオードＤsw0が接続されており、このスイッチングダイオードＤsw0により同調回路の容量成分が安定せず、ＲＦ信号が歪むなどの問題点があった。また、
本発明によれば、簡単な構成で、確実にＲＦ信号の歪を防止し、安定した受信が可能となる受信装置を提供することを目的とする。
【課題を解決するための手段】
【００１０】
本発明は、アンテナ同調回路（１１１）と、アンテナ同調回路（１１１）の出力信号を通過させるキャパシタ（Ｃ0）と、キャパシタ（Ｃ0）を通過した信号を増幅する高周波増幅回路（１１３）とを有する受信装置において、キャパシタ（Ｃ0）と高周波増幅回路（１１３）の入力端との接続点と接地との間に、アンテナ同調回路（１１１）からの信号を所定のレベル範囲を超えたときにときにオンして、信号を所定のレベル範囲内に維持するスイッチング手段（１１２）を接続したことを特徴とする。
【００１１】
スイッチング手段（１１２）は、アノードがキャパシタ（Ｃ0）と高周波増幅回路（１１３）の入力端との接続点に接続され、カソードが接地に接続されたダイオード（Ｄsw21）から構成されたことを特徴とする。ダイオード（Ｄsw21）は、スイッチングダイオードから構成されていることを特徴とする。
【００１２】
なお、上記参照符号は、あくまでの参考であり、これによって、特許請求の範囲が限定されるものではない。
【発明の効果】
【００１３】
本発明によれば、キャパシタ（Ｃ0）と高周波増幅回路（１１３）の入力端との接続点と接地との間に、アンテナ同調回路（１１１）からの信号を所定のレベル範囲を超えたときにときにオンして、信号を所定のレベル範囲内に維持するスイッチング手段（１１２）を設けることにより、アンテナ同調回路（１１１）の容量成分に影響を与えることなく、ＲＦ信号の歪を防止できる。また、アンテナ同調回路（１１１）を安定に動作させることが可能となる。
【００１４】
さらに、スイッチング手段（１１２）は、ＲＦ増幅回路（１１３）によりＲＦ増幅される前の信号の歪を除去できるため、ＲＦ増幅回路（１１３）で増幅されたＲＦ信号が歪むことを確実に防止できる。
【発明を実施するための最良の形態】
【００１５】
〔システム構成〕
図１は本発明の一実施例のシステム構成図を示す。
【００１６】
本実施例では受信装置としてＦＭ／ＡＭ電波を受信するためのチューナモジュール１００を例に説明を行なう。
【００１７】
本実施例のチューナモジュール１００は、アンテナ同調回路１１１、キャパシタＣ0、スイッチング手段１１２、ＲＦ（radio  frequency:高周波）増幅回路１１３、ＲＦ同調回路１１４、ミキサ１１５、発振回路１１６、ＩＦ（intermediate  frequency:中間周波数）増幅回路１１７、信号処理ＩＣ１２１、ＡＭ入力処理回路１３１から構成されている。
【００１８】
チューナモジュール１００には、ＦＭアンテナ端子ＴfminにＦＭアンテナ１０１が接続されて、ＡＭアンテナ端子ＴaminにＡＭアンテナ１０２が接続される。ＦＭアンテナ端子Ｔfminは、アンテナ同調回路１１１に接続され、ＡＭアンテナ端子Ｔaminは、ＡＭ入力処理回路１３１に接続されている。
【００１９】
アンテナ同調回路１１１は、アンテナ１０１と同調して、ＦＭ帯のＲＦ信号を抽出する。アンテナ同調回路１１１により抽出されたＲＦ信号は、キャパシタＣ0、スイッチング手段１１３を通してＲＦ増幅回路１１２に供給される。ＲＦ増幅回路１１２は、ＦＭ帯のＲＦ信号を増幅してＲＦ同調回路１１４に供給する。ＲＦ同調回路１１４は、ＦＭ帯の信号と同調して、同調した信号をミキサ１１５に供給する。
【００２０】
ミキサ１１５は、ＲＦ同調回路１１４からのＲＦ信号と発振回路１１６の発振出力とをミキシングして、ＩＦ信号に変換する。ＩＦ信号は、ＩＦ増幅回路１１７に供給される。ＩＦ増幅回路１１７は、ミキサ１１５からのＩＦ信号を増幅して、信号処理ＩＣ１２１に供給する。信号処理ＩＣ１２１は、ＩＦ増幅回路１１７からのＩＦ信号を処理して、ＦＭ音声信号を出力端子Ｔoutから出力する。
【００２１】
また、ＡＭ入力信号処理回路１３１は、ＡＭアンテナ端子Ｔaminに供給されたＲＦ信号を信号処理ＩＣ１２１と協働して処理して、ＡＭ音声信号を抽出し、出力端子Ｔoutから出力する。さらに、信号処理ＩＣ１２１は、制御端子Ｔcntに供給される制御信号により選局など各種制御を行なう。
【００２２】
〔アンテナ同調回路１１１及びスイッチング手段１１２並びにＲＦ増幅回路１１３〕
図２はアンテナ同調回路１１１、及び、スイッチング手段１１２並びにＲＦ増幅回路１１３の回路構成図を示す。
【００２３】
アンテナ同調回路１１１は、トランス１４１、キャパシタＣ11、Ｃ12、可変容量ダイオードＤvcから構成されている。
【００２４】
トランス１４１は、１次コイルＬ１及び２次コイルＬ２から構成されている。１次コイルＬ１は一端がＦＭアンテナ端子Ｔfminの信号入力端子に接続されており、他端が接地されている。２次コイルＬ２は、一端がキャパシタＣ0の一端に接続されており、他端が接地されている。
【００２５】
キャパシタＣ11は、一端がトランス１４１の２次コイルＬ２の一端とキャパシタＣ0の一端との接続点に接続され、他端が接地されている。可変容量ダイオードＤvcは、アノードが２次コイルＬ２の一端とキャパシタＣ0の一端との接続点に接続され、カソードはキャパシタＣ12の一端に接続されている。キャパシタＣ12の他端は、接地されている。
【００２６】
可変容量ダイオードＤvcとキャパシタＣ12との接続点には、信号処理ＩＣ１２１から容量制御電圧が供給されている。可変容量ダイオードＤvcは、信号処理ＩＣ１２１から供給される容量制御電圧Ｖcntに応じて容量が制御される。可変容量ダイオードＤvcの容量を制御することにより、２次コイルＬ２に並列に挿入される容量成分が制御される。これによって、同調周波数を調整することが可能となる。
【００２７】
アンテナ同調回路１１１は、ＦＭアンテナ１０１に同調して、ＦＭ帯のＲＦ信号を抽出する。アンテナ同調回路１１１から出力されたＲＦ信号は、キャパシタＣ0を通ってスイッチング手段１１２に供給される。
【００２８】
〔スイッチング手段１１２〕
スイッチング手段１１２は、スイッチングダイオードＤsw21から構成されている。スイッチングダイオードＤsw21は、アノードがキャパシタＣ0の他端とＲＦ増幅回路１１３の入力端との接続点に接続され、カソードが接地されている。
【００２９】
スイッチング手段１１２は、キャパシタＣ0のＲＦ増幅回路１１３の入力端側に設けられているため、アンテナ同調回路１１１の容量成分に影響を与えることがない。よって、アンテナ同調回路１１１を安定に動作させることが可能となる。さらに、ＲＦ増幅回路１１３によりＲＦ増幅される前の信号の歪を除去できるため、ＲＦ増幅回路１１３の増幅された出力ＲＦ信号が歪むことを確実に防止できる。
【００３０】
〔ＲＦ増幅回路１１３〕
ＲＦ増幅回路１１３は、抵抗Ｒ21、Ｒ22、及び、電界効果トランジスタＭ１から構成されている。抵抗Ｒ21は、一端がキャパシタＣ0の他端とトランジスタＭ１のゲートとの接続点に接続され、他端は接地されている。抵抗Ｒ22は、一端がトランジスタＭ１のドレイン又はソースに接続され、他端がＲＦ同調回路１１４に接続されている。トランジスタＭ１の抵抗Ｒ22が接続されていない側のソース又はドレインは接地されている。ＲＦ増幅回路１１３は、ＲＦ信号を増幅してＲＦ同調回路１１４に供給する。
【００３１】
〔効果〕
本実施例によれば、ＲＦ信号の歪を防止するためのスイッチング手段１１２をアンテナ同調回路１１１にではなく、キャパシタＣ0のＲＦ増幅回路１１３の入力端側に設けることにより、アンテナ同調回路１１１の容量成分に影響を与えることなく、ＲＦ信号の歪を防止できる。また、アンテナ同調回路１１１を安定に動作させることが可能となる。
【００３２】
さらに、スイッチング手段１１２は、ＲＦ増幅回路１１３によりＲＦ増幅される前の信号の歪を除去できるため、ＲＦ増幅回路１１３で増幅されたＲＦ信号が歪むことを確実に防止できる。
【００３３】
また、スイッチングダイオードの接続位置を変更するだけで、対応できるため簡単に対応できる。さらに、高周波対応の高価なダイオードを用いる必要がないので、安価に構成できる。
【００３４】
〔実験結果〕
図３は本発明の一実施例の効果を説明するための図であり、図４に示すアンテナ同調回路にスイッチングダイオードを設けた場合と図１に示すようにアンテナ同調回路のスイッチングダイオードを削除して、スイッチング手段１１３を設けた場合との比較を示している。
【００３５】
なお、テレビジョン放送の１チャンネルを選局し、１チャンネルの信号を受信した場合、ノイズ成分が５１．４ｄＢ／ｍであったものを２１．３ｄＢ／ｍに低減できる。また、テレビジョン放送の１チャンネルを選局し、２チャンネルの信号を受信した場合、ノイズ成分が５６．２ｄＢ／ｍであったものを２１．１ｄＢ／ｍに低減できる。さらに、テレビジョン放送の２チャンネルを選局し、２チャンネルの信号を受信した場合、ノイズ成分が４５．４ｄＢ／ｍであったものを１７．８ｄＢ／ｍに低減できる。
【００３６】
このように、キャパシタＣ0とＲＦ増幅回路１１３の入力端との間にスイッチングダイオードを設け歪を除去することにより、ＲＦ信号の歪を防止でき、ノイズなどを大幅に低減できる。
【図面の簡単な説明】
【００３７】
【図１】本発明の一実施例のシステム構成図である。
【図２】アンテナ同調回路１１１及びスイッチング手段１１２並びにＲＦ増幅回路１１３の回路構成図である。
【図３】本発明の一実施例の効果を説明するための図である。
【図４】従来のアンテナ同調回路の一例の回路構成図である。
【符号の説明】
【００３８】
１００  チューナモジュール
１１１  アンテナ同調回路、１１２  スイッチング手段、１１３  ＲＦ増幅回路
Ｃ0  キャパシタ
Ｄsw21、Ｄsw31、Ｄsw32  スイッチングダイオード
【図１】
2006279486.tif 000003
【図２】
2006279486.tif 000004
【図３】
2006279486.tif 000005
【図４】
2006279486.tif 000006